(57)【要約】【課題】通気口の開閉機構の簡素化および省スペース化を可能としたヘルメットおよび通気口に用いられるグロメットを提供する。【解決手段】外気をシェル２内に取り入れるグロメット１０とを備え、グロメット１０は、シェル２において貫通孔４の位置に取り付けられ、貫通孔４と重なる位置に第１開口部１６を備えるベース１１と、ベース１１に対して回転可能に取り付けられ、第１開口部１６に対応する第２開口部２８を有する操作部材１２と、第１および第２開口部１６，２８を開閉するシャッタ１３，１４とを備える。シャッタは、案内突起３６〜３９と、従動突起４１，４２とを備え、ベース１１は、案内突起が係合される案内溝２１〜２４を備え、操作部材１２は、従動突起４１，４２が係合されるカム溝を備える。シャッタ１３，１４は、ベースに対する操作部材の回転に連動して移動し、第１および第２開口部１６，２８を開閉する。【選択図】図３
2020196968.tif 000002
【特許請求の範囲】
【請求項１】
シェルの外部と内部とを繋ぐ貫通孔を備える前記シェルと、
前記シェルにおいて、前記貫通孔の位置に配設され、外気を前記シェルの内部に取り入れる通気口を構成するグロメットとを備え、
前記グロメットは、前記シェルにおいて前記貫通孔の位置に取り付けられるベースであって、前記貫通孔と重なる位置に開口部を備える前記ベースと、
前記ベースに対して回転可能に取り付けられる操作部材と、
前記ベースに対する前記操作部材の回転に連動して前記開口部を開閉する複数のシャッタと
を備えるヘルメット。
【請求項２】
前記開口部は第１開口部であって、
前記操作部材は、前記ベースを覆い、前記ベースに対して回転するカバーであって、
前記シャッタは、前記操作部材と前記ベースとの間に配置され、
前記操作部材は、前記第１開口部に対応する位置に第２開口部を備える
請求項１に記載のヘルメット。
【請求項３】
前記シャッタは、
前記ベースの方向に突出する案内突起と、
前記操作部材の方向に突出する従動突起とを備え、
前記ベースは、前記案内突起が係合される案内溝を備え、
前記操作部材は、前記従動突起が係合されるカム溝を備え、
前記操作部材は、前記ベースに対する回転に応じて、前記シャッタを移動させる
請求項２に記載のヘルメット。
【請求項４】
前記ベースは、前記操作部材の前記ベースに対する回転を案内する回転案内部を備え、
前記操作部材は、前記回転案内部に係合される係合部を備える
請求項１ないし３のうち何れか１項に記載のヘルメット。
【請求項５】
外気を内部に取り入れる通気口をヘルメットに構成するグロメットであって、
前記グロメットは、
前記ヘルメットを構成するシェルに設けられた貫通孔の位置に取り付けられるベースであって、前記貫通孔と重なる位置に開口部を備える前記ベースと、
前記ベースに対して回転可能に取り付けられる操作部材と、
前記ベースに対する前記操作部材の回転に連動して前記開口部を開閉する複数のシャッタと
を備えるグロメット。
【発明の詳細な説明】
【技術分野】
【０００１】
本発明は、シェルに開閉可能な通気口が設けられたヘルメットおよびヘルメットに開閉可能な通気口を構成するグロメットに関する。
【背景技術】
【０００２】
ヘルメット内部の換気や、シールド板の内面の曇り止めのために、ヘルメットには、ヘルメット内部とヘルメット外表面を連通する開閉可能な通気口が設けられている。特許文献１のヘルメットは、ヘルメットのシェルを内側に窪ませて、その凹窪部に内・外を連通する通気口を開設し、さらに、その凹窪部に通気口と連通するための連絡孔を設けたベースを篏合固定している。そして、そのベースに上下に揺動するシャッタを取り付けることで、通気口を開閉することが記載されている。
【０００３】
また、特許文献２のヘルメットは、ノブを上下にスライドさせることにより、連動するシャッタが通気口を開閉することが記載されている。
【先行技術文献】
【特許文献】
【０００４】
【特許文献１】特開平１０−１２１３１７号公報
【特許文献２】特開平２−８７０２７号公報
【発明の概要】
【発明が解決しようとする課題】
【０００５】
前述のように、ヘルメットの通気口は、シャッタによって開閉されるものであるから、シャッタの開閉機構をヘルメットに設ける必要がある。このシャッタの開閉機構は、できるだけ簡単な構造で、かつ、占有スペースが小さいことが望ましい。しかし、特許文献１のヘルメットでは、シャッタを揺動させる機構が複雑なために、部品点数が多く必要となり、ヘルメットへの組み付け作業が悪い。
【０００６】
このようなシャッタ開閉機構は、修理や交換のために、構造の簡素化が求められる。
また、特許文献２のヘルメットでは、２つの通気口を１枚のシャッタによって開閉させるために、シャッタの開閉機構の占有スペースを必要以上に広く必要とする。このようなシャッタ開閉機構は、ヘルメットの外観デザインへも影響するので、省スペース化が求められる。
【０００７】
本発明の目的は、通気口の開閉機構における構造の簡素化および省スペース化を可能としたヘルメットおよび通気口に用いられるグロメットを提供することである。
【課題を解決するための手段】
【０００８】
上記課題を解決するためのヘルメットは、シェルの外部と内部とを繋ぐ貫通孔を備える前記シェルと、前記シェルにおいて、前記貫通孔の位置に配設され、外気を前記シェルの内部に取り入れる通気口を構成するグロメットとを備え、前記グロメットは、前記シェルにおいて貫通孔の位置に取り付けられるベースであって、前記貫通孔と重なる位置に開口部を備える前記ベースと、前記ベースに対して回転可能に取り付けられる操作部材と、前記ベースに対する前記操作部材の回転に連動して前記開口部を開閉する複数のシャッタとを備える。上記構成によれば、操作部材を回転するだけで、開口部を開放することができ、これにより、ヘルメット内への通気を確保することができる。ここで、グロメットは、シャッタおよび操作部材を取り付けたベースという簡単な構造から構成されている。このため、グロメットの修理や交換が容易である。また、シャッタがベース上を回動することで通気口を開閉する機構のため、余分なスペースを必要としない。このため、シャッタ開閉機構を必要最小限度の大きさに設定することができるので、ヘルメットの外観デザインの自由度が増す。
【０００９】
上記ヘルメットにおいて、前記開口部は第１開口部であって、前記操作部材は、前記ベースを覆い、前記ベースに対して回転するカバーであって、前記シャッタは、前記操作部材と前記ベースとの間に配置され、前記操作部材は、前記第１開口部に対応する位置に第２開口部を備える構成としてもよい。上記構成によれば、シャッタがベースおよび操作部材の間で移動するだけであるから、シャッタの開閉機構を故障しにくくできる。
【００１０】
上記ヘルメットにおいて、前記シャッタは、前記ベースの方向に突出する案内突起と、前記操作部材の方向に突出する従動突起とを備え、前記ベースは、前記案内突起が係合される案内溝を備え、前記操作部材は、前記従動突起が係合されるカム溝を備え、前記操作部材は、前記ベースに対する回転に応じて、前記シャッタを移動させる構成としてもよい。
【００１１】
上記構成によれば、シャッタの移動は、案内突起と案内溝の係合、および、カム溝と従動突起の係合とによって行われる。これにより、シャッタは、操作部材の回転に連動して安定して移動することができる。
【００１２】
上記ヘルメットにおいて、前記ベースは、前記操作部材の前記ベースに対する回転を案内する回転案内部を備え、前記操作部材は、前記回転案内部に係合される係合部を備える構成としてもよい。上記構成によれば、操作部材は、回転案内部と係合部との係合によって安定して、ベースに対して回転することができる。
【００１３】
上記課題を解決するためのグロメットは、外気を内部に取り入れる通気口をヘルメットに構成するグロメットであって、前記グロメットは、前記ヘルメットを構成するシェルに設けられた貫通孔の位置に取り付けられるベースであって、前記貫通孔と重なる位置に開口部を備える前記ベースと、前記ベースに対して回転可能に取り付けられる操作部材と、前記ベースに対する前記操作部材の回転に連動して前記開口部を開閉する複数のシャッタとを備える。
【発明の効果】
【００１４】
本発明によれば、通気口の開閉機構を簡素化および省スペース化できる。
【図面の簡単な説明】
【００１５】
【図１】ヘルメットの斜視図。
【図２】第１実施形態におけるグロメットの斜視図であって、シャッタが閉まった状態を示す。
【図３】第１実施形態におけるグロメットの分解斜視図。
【図４】第１実施形態におけるベースの斜視図。
【図５】第１実施形態における操作部材とシャッタの関係を示す斜視図。
【図６】第１実施形態におけるシャッタが開いた状態を示す斜視図。
【図７】第２実施形態におけるグロメットの斜視図。
【図８】第２実施形態におけるグロメットの分解斜視図。
【図９】第３実施形態におけるグロメットの分解斜視図。
【図１０】第３実施形態におけるグロメットの斜視図であって、（ａ）はシャッタが閉じた状態、（ｂ）はシャッタが開いた状態を示す。
【発明を実施するための形態】
【００１６】
図１から図１０を参照して、本発明が適用されたヘルメットを説明する。
〔第１実施形態〕
図１に示すように、ヘルメット１は、球体状を有したシェル２を備える。シェル２は、ヘルメットの外殻を構成する。シェル２は半球状を有した樹脂部材である。シェル２を構成する材料は、例えば、アクリロニトリル・ブタジエン・スチレン共重合体（ＡＢＳ）、ポリカーボネート（ＰＣ）、および、強化繊維を含浸させた熱硬化性樹脂などから選択される。シェル２は、例えば、衝撃を吸収するための内装部材である衝撃吸収ライナーを収容してもよい。また、シェル２は、例えば、頭部に対するクッション性を得るために、衝撃吸収ライナーよりも低い反発力を有した各種のパッドを収容してもよい。シェル２は、視界を確保するための開口部３を備えている。なお、ヘルメット１は、光透過性を有した無色で透明の板部材であるシールドを備えていてもよい。シールドは、前方から飛来する異物や雨、風がヘルメット１内に入ることを閉位置において妨げて、着用者の視認性を向上させる。
【００１７】
図２および図３に示すように、開口部３の上部には、シェル２の内部の換気のために、シェル２の内部とシェル２の外表面を連通する通気口であって、シャッタを備えた通気口が設けられている。通気口は、シェル２の貫通孔４に挿入されるグロメット１０によって構成されている。
【００１８】
グロメット１０は、シェル２の貫通孔４に取り付けられるベース１１と、ベース１１に対して回転可能に取り付けられる操作部材１２と、操作部材１２の回転に連動して移動する第１シャッタ１３および第２シャッタ１４とを備えている。貫通孔４は、シェル２を厚さ方向に貫通した孔である。そして、シェル２には、貫通孔４およびその周囲にベース１１が取り付けられる。
【００１９】
ベース１１は、貫通孔４より大径の円形板であって、中央部に、貫通孔４に対応する第１開口部１６を備えている。第１開口部１６は、円形孔であって、貫通孔４とほぼ同じ大きさの貫通孔である。ベース１１は、シェル２に対する取付面となる裏面１１ａと、裏面１１ａと反対側の面であってシャッタ１３，１４が配置される側の表面１１ｂとを備えている。図４に示すように、裏面１１ａには、第１開口部１６の周囲に嵌合壁１７が立設されている。第１開口部１６は、嵌合壁１７の内側に設けられており、嵌合壁１７は貫通孔４に嵌合される。また、裏面１１ａの外周縁には、操作部材１２のベース１１に対する回転を案内するとともに回転範囲を規定する回転案内部１８を備えている。回転案内部１８は、凹形状を有した溝であって、操作部材１２の回転の範囲、すなわち第１および第２シャッタ１３，１４の開閉を可能とする範囲に亘って周回方向に沿って設けられている。
【００２０】
図３に示すように、ベース１１の表面１１ｂは、第１シャッタ１３の開閉を案内する第１主案内溝２１および第２シャッタ１４の開閉を案内する第２主案内溝２２を備えている。第１および第２主案内溝２１，２２は、第１および第２シャッタ１３，１４の一端部に設けられた第１および第２主案内突起３６，３７が係合される凹部形状の溝であって、第１開口部１６の外側において、第１開口部１６の周回方向に沿うように細長い円弧形状を有している。
【００２１】
また、ベース１１の表面１１ｂは、第１シャッタ１３の開閉を案内する第１副案内溝２３および第２シャッタ１４の開閉を案内する第２副案内溝２４を備えている。第１および第２副案内溝２３，２４は、第１および第２シャッタ１３，１４の他端部に設けられた第１および第２副案内突起３８，３９が係合される溝であって、第１および第２主案内溝２１，２２に対して交差する方向に延びる凹部によって構成されている。
【００２２】
操作部材１２は、ベース１１を覆いベース１１に対して回転可能に配置される部材であって、円形の頂板２６と、頂板２６の外周縁に立設された周壁２７とを備えている。頂板２６には、その中央部に窪み部を備えその中央にベース１１の第１開口部１６に対応する第２開口部２８が設けられている。第２開口部２８は、第１開口部１６と同じ大きさの円形孔であって、操作部材１２がベース１１に取り付けられたとき、ベース１１の第１開口部１６と同位置に位置する。第１および第２開口部１６，２８は、ヘルメット１の内外を繋ぐ通気口として機能する。図５に示すように、頂板２６の内面には、第２開口部２８の外周領域であって、第２開口部の中心を通る直線上に第１カム溝３１および第２カム溝３２が設けられている。第１カム溝３１は、第１シャッタ１３の第１従動突起４１が係合される凹状の溝部である。第２カム溝３２は、第２シャッタ１４の第２従動突起が４２係合される凹状の溝部である。第１カム溝３１および第２カム溝３２の各々は、操作部材１２が回転可能なように、長孔で構成されている。
【００２３】
周壁２７の外周面には、高さ方向に凹凸溝が形成されており、操作部材１２をベース１１に対して回転する際の操作部２９が構成されている。操作部２９は、指が滑りにくくなるようにして、操作部材１２の回転操作を行い易くする。また、周壁２７の先端部には、対抗する位置に回転案内部１８に係合する係合部３３を備える。係合部３３は、周壁２７より内側に突出した係合片であって、操作部材１２は、係合部３３がベースの回転案内部１８を構成する溝に係合することによって、回転が案内されるとともに、第１および第２シャッタ１３，１４の開閉動作を可能とする回転範囲が規定される。
【００２４】
第１および第２シャッタ１３，１４の各々は、細長形状を有しており、突き合わされたときに第１開口部１６および第２開口部２８を閉塞する大きさを有している。また、第１開口部１６および第２開口部２８を開放するとき、第１開口部１６および第２開口部２８のよりも外周側に位置する形状を有している。すなわち、第１および第２シャッタ１３，１４の各々は、長手方向における一辺が直線部であり、他のシャッタとの突き合わせ部１３ａ，１４ａとなる。そして、長手方向における他辺が弓型形状を有している。
【００２５】
第１シャッタ１３は、長手方向の一端部において、ベース１１側の面に突出して第１主案内溝２１に係合する第１主案内突起３６を備え、第２シャッタ１４は、長手方向の一端部において、ベース１１側の面に突出して第２主案内溝２２に係合する第２主案内突起３７を備えている。また、第１シャッタ１３は、長手方向の他端部において、ベース１１側の面に突出して第１副案内溝２３に係合する第１副案内突起３８を備え、第２シャッタ１４は、長手方向の他端部において、ベース１１側の面に突出して第２副案内溝２４に係合する第２副案内突起３９を備えている。
【００２６】
さらに、図５に示すように、第１シャッタ１３は、長手方向の一端部において、操作部材１２側の面に突出して第１カム溝３１に係合する第１従動突起４１を備え、第２シャッタ１４は、長手方向の他端部において、操作部材１２側の面に突出して第２カム溝３２に係合する第２従動突起４２を備えている。
【００２７】
すなわち、第１および第２主案内突起３６，３７と第１および第２主案内溝２１，２２、第１および第２副案内突起３８，３９と第１および第２副案内溝２３，２４、第１カム溝３１および第２カム溝３２と第１および第２従動突起４１，４２は、第１および第２シャッタ１３，１４の開閉機構を構成する。
【００２８】
以上のように構成されたグロメット１０は、以下のような作用を有する。
グロメット１０は、例えば、貫通孔４にベース１１の嵌合壁１７を嵌合させてシェル２に取り付けられている。第１および第２開口部１６，２８を第１および第２シャッタ１３，１４が閉じているときは、ヘルメット１内に外気が流入することを禁止している状態である。このような状態のとき、第１および第２シャッタ１３，１４の突き合わせ部１３ａ，１４ａ同士が第１および第２開口部１６，２８の上で突き合わせ状態にあって、第１開口部１６および第２開口部２８を閉塞している。この際、第１および第２シャッタ１３，１４の第１および第２主案内突起３６，３７は、第１および第２主案内溝２１，２２の一端部に位置している。また、第１および第２シャッタ１３，１４の第１および第２副案内突起３８，３９は、第１および第２副案内溝２３，２４の一端部に位置している。
【００２９】
図６に示すように、ヘルメット１内に外気を流入させるときには、第１および第２開口部１６，２８を開放する操作を行う。すなわち、ユーザは、操作部材１２の操作部２９の部分を摘んで、操作部材１２を一方向（図２中矢印Ｄ方向）に回転させる。すると、第１シャッタ１３は、第１従動突起４１および第１カム溝３１を通じて、第１および第２開口部１６，２８を開放する方向に移動される。第２シャッタ１４も、第２従動突起４２および第２カム溝３２を通じて、第１および第２開口部１６，２８を開放する方向に移動される。この際、第１および第２シャッタ１３，１４の第１および第２主案内突起３６，３７は、第１および第２主案内溝２１，２２の一端部から他端部に移動する。また、第１および第２シャッタ１３，１４の第１および第２副案内突起３８，３９も、第１および第２副案内溝２３，２４の一端部から他端部に移動する。これにより、第１および第２シャッタ１３，１４は、ベース１１上であって第１開口部１６の外周部に移動する。そして、全開の状態では、第１および第２シャッタ１３，１４が第１および第２開口部１６，２８から退避した状態となり、シェル２の内部に通気可能な状態となる。
【００３０】
なお、第１および第２開口部１６，２８の開口量は、操作部材１２の回転量で、その回転量に応じて第１および第２シャッタ１３，１４が移動する。これにより、シェル２への通気量が調整される。また、第１および第２開口部１６，２８を閉じるときには、操作部材１２を他方向（図６中反矢印Ｄ方向）に回転することによって第１および第２シャッタ１３，１４を閉じる方向に移動させればよい。操作部材１２は、第１および第２シャッタ１３，１４の突き合わせ部１３ａ，１４ａ同士が第１および第２開口部１６，２８の上で突き合わされた状態となる。
【００３１】
以上、上記実施形態によれば、以下に記載する効果が得られる。
（１−１）第１および第２シャッタ１３，１４は、ベース１１および操作部材１２の間で移動するだけであるから、その開閉機構を故障しにくくできる。また、第１および第２シャッタ１３，１４は、ベース１１および操作部材１２の外側まではみ出すことはない。したがって、グロメット１０は、全体が小型化され、シェル２におけるグロメット１０の取付位置の自由度を高めることができる。
【００３２】
（１−２）操作部材１２を回転するだけで、第１および第２開口部１６，２８を開放することができ、これにより、ヘルメット１内への通気を確保することができる。また、操作部材１２の回転量を調整することで、通気量を調整することができる。
【００３３】
（１−３）グロメット１０は、第１および第２シャッタ１３，１４および操作部材１２を取り付けたベース１１という簡単な構造から構成されている。このため、グロメット１０の修理や交換が容易である。また、第１および第２シャッタ１３，１４がベース１１上を回動することで通気口を開閉する機構のため、余分なスペースを必要としない。このため、シャッタ開閉機構を必要最小限度の大きさに設定することができるので、ヘルメット１の外観デザインの自由度が増す。
【００３４】
（１−４）第１および第２シャッタ１３，１４の移動は、第１および第２主案内突起３６，３７と第１および第２主案内溝２１，２２との係合、ならびに、第１および第２副案内突起３８，３９と第１および第２副案内溝２３，２４との係合とによって行われる。また、第１および第２従動突起４１，４２と第１および第２カム溝３１，３２との係合によって行われる。これにより、第１および第２シャッタ１３，１４は、操作部材１２の回転に連動して安定して移動することができる。
【００３５】
（１−５）操作部材１２は、回転案内部１８と係合部３３との係合によって安定して、ベース１１に対して回転することができる。
〔第２実施形態〕
図７および図８に示すように、第２実施形態におけるグロメット５０は、ベース１１と操作部材１２の形状が異なっている。ベース１１は、底板１１ｃと、周壁１１ｄを備えている。そして、底板１１ｃに、第１開口部１６が設けられ、その周囲に、第１主案内溝２１、第２主案内溝２２、第１副案内溝２３、第２副案内溝２４が設けられている。また、周壁１１ｄには、周回方向に延びる貫通した溝形状の回転案内部１８が設けられている。
【００３６】
操作部材１２は、中央部に窪み部を備えその中央にベース１１の第１開口部１６に対応する第２開口部２８が設けられている。窪み部の外側は、外周に向かって下る傾斜面が設けられ、円周方向に、凹凸溝が形成されており、操作部材１２をベース１１に対して回転する際の操作部２９が構成されている。
【００３７】
第１および第２シャッタ１３，１４の第１および第２主案内突起３６，３７は、ベース１１の第１および第２主案内溝２１，２２に係合し、第１および第２副案内突起３８，３９は、第１および第２副案内溝２３，２４に係合する。また、第１および第２シャッタ１３，１４の第１および第２従動突起４１，４２は、操作部材１２の第１および第２カム溝３１，３２に係合する。以上のようなグロメット５０によっても、第１実施形態のグロメット１０と同様な作用効果を得ることができる。
【００３８】
〔第３実施形態〕
シャッタは、複数枚であれば、２枚に限定されるものではない。図９および図１０（ａ）（ｂ）は、第３実施形態のグロメット６０であって、シャッタを４枚用いた例である。このグロメット６０は、ベース６２を備えている。ベース６２は、貫通孔４より大径の円形版であって、中央部に、貫通孔４に対応する第１開口部６３を備えている。
【００３９】
ベース６２には、４枚のシャッタ６４がベース６２に対する回転軸となるビス６５によって回動可能に取り付けられている。そして、４枚のシャッタ６４は、それぞれ回動することにより、第１開口部６３が開閉する。４枚のシャッタ６４は、操作部材６６によって回動操作される。操作部材６６は、環状部６７と、環状部６７に設けられた棒状の操作部６８とを備えている。環状部６７の内側は、第２開口部６７ａであって、その内径は、第１開口部６３に対して同径、大径または小径である。環状部６７には、シャッタ６４が環状部６７に対する回動軸となるビス６９により回動可能に取り付けられている。そして、操作部６８を上下に移動させることによって、各シャッタ６４が回動し、第１開口部６３が開閉する。この例では、操作部６８を下へ下げると第１開口部６３が閉じ、上へ上げると第１開口部６３が開く。この例では、シャッタ６４が全開の状態において、矩形形状を有した通気口を構成する。
【００４０】
なお、上記実施形態は、以下のように変更して実施することもできる。
・ベース１１に対する操作部材１２の回転案内は、回転案内部および係合部などを設けなくてもよい。例えば、ベース１１の周壁の内側に操作部材１２の周壁を嵌合させて回転案内を行うようにしてもよいし、ベース１１の周壁の外側に操作部材１２の周壁を嵌合させて回転案内を行うようにしてもよい。
【００４１】
・ベース１１に対する操作部材１２の回転案内は、操作部材１２のベース１１に対する回転範囲を規定する機能を備えていなくてもよい。
・シャッタは、操作部材１２に完全に覆われていなくてもよい（図９および図１０参照）。
【００４２】
・操作部材は、第１開口部１６を避けた位置に配置されているのであれば、第２開口部２８を備えていなくてもよい。
・シャッタは、全開状態であっても、第１開口部１６の一部と重なっていてもよい。
【００４３】
・第１および第２シャッタ１３，１４において、第１および第２主案内突起３６，３７、第１および第２副案内突起３８，３９、および、第１および第２従動突起４１，４２の位置は特に限定されるものではない。例えば、第１および第２主案内突起３６，３７の中心軸線と第１および第２従動突起４１，４２の中心軸線は、一致していなくてもよい。一例として、第１および第２主案内突起３６，３７と第１および第２従動突起４１，４２の何れか一方は、第１および第２シャッタ１３，１４の一端部に設け、他方は、一端部と他端部との間に設けてもよい。また、第１および第２副案内突起３８，３９も、第１および第２シャッタ１３，１４の他端部ではなく、一端部と他端部との間に設けてもよい。
【００４４】
・第１および第２シャッタ１３，１４の案内が可能であれば、第１および第２副案内突起３８，３９を省略し、第１および第２主案内突起３６，３７だけとしてもよい。
・グロメットによって構成された通気口の数は、図１のように２つに限定されるものではない。すなわち、１つであっても、３つ以上であってもよい。数が多ければ、通気性は向上される。また、ヘルメットは、グロメットで構成された通気口の他に、他の機構により構成された通気口を備えていてもよい。
【００４５】
・ヘルメット１は、光透過性を有した無色で透明の板部材であるシールドを備えていてもよい。シールドは、前方から飛来する異物や雨、風がヘルメット１内に入ることを閉位置において妨げて、着用者の視認性を向上させることができる。
【００４６】
・ヘルメッとしては、オートバイ用ヘルメットの他、自転車用ヘルメット、自動車用ヘルメット、土木作業用ヘルメット、軽作業用ヘルメット、電気作業用ヘルメットなどであってもよい。
【符号の説明】
【００４７】
１…ヘルメット、２…シェル、３…開口部、４…貫通孔、１０…グロメット、１１…ベース、１１ａ…裏面、１１ｂ…表面、１１ｃ…底板、１１ｄ…周壁、１２…操作部材、１３…第１シャッタ、１３ａ…突き合わせ部、１４…第２シャッタ、１４ａ…突き合わせ部、１６…第１開口部、１７…嵌合壁、１８…回転案内部、２１…第１主案内溝、２２…第２主案内溝、２３…第１副案内溝、２４…第２副案内溝、２６…頂板、２７…周壁、２８…第２開口部、２９…操作部、３１…第１カム溝、３２…第２カム溝、３３…係合部、３６…第１主案内突起、３７…第２主案内突起、３８…第１副案内突起、３９…第２副案内突起、４１…第１従動突起、４２…第２従動突起、５０…グロメット、６０…グロメット、６２…ベース、６３…第１開口部、６４…シャッタ、６５…ビス、６６…操作部材、６７…環状部、６７ａ…第２開口部、６８…操作部、６９…ビス。
【図１】
2020196968.tif 000003
【図２】
2020196968.tif 000004
【図３】
2020196968.tif 000005
【図４】
2020196968.tif 000006
【図５】
2020196968.tif 000007
【図６】
2020196968.tif 000008
【図７】
2020196968.tif 000009
【図８】
2020196968.tif 000010
【図９】
2020196968.tif 000011
【図１０】
2020196968.tif 000012